(57)【要約】【課題】誤動作なく、オートフォーカス時間の短縮化が図られた撮像装置を提供する。【解決手段】レンズ光軸の水平面となす角度を検出する傾斜センサ１４と、複数のサーチ範囲を備えたオートフォーカス機能と、液晶ディスプレイ１２と、レンズ光軸の角度が所定値以上の俯角である場合に、液晶ディスプレイにオートフォーカス機能のサーチ範囲の選択を促す旨の表示をさせる制御手段とを備える。【選択図】  図2
2006317593.tif 000002
【特許請求の範囲】
【請求項１】
レンズ光軸の水平面となす角度を検出する角度検出手段と、
複数のサーチ範囲を備えたオートフォーカス機能と、
表示手段と、
前記レンズ光軸の角度が所定値以上の俯角である場合に、前記表示手段に前記オートフォーカス機能のサーチ範囲の選択を促す旨の表示をさせる制御手段と、
を備えていることを特徴とする撮像装置。
【請求項２】
高度を検出する高度検出手段を備えている請求項１に記載の撮像装置。
【請求項３】
被写体の照度を検出する照度検出手段を備えている請求項１又は２に記載の撮像装置。
【請求項４】
レンズ光軸の水平面となす角度を検出する角度検出手段と、
高度を検出する高度検出手段と、
複数のサーチ範囲を備えたオートフォーカス機能と、
前記レンズ光軸の角度が所定値以上の俯角であるか否か、及び、高度が所定値以上であるか否かを判定し、該判定結果により前記オートフォーカス機能のサーチ範囲を選択する制御手段と、
を備えていることを特徴とする撮像装置。
【請求項５】
レンズ光軸の水平面となす角度を検出する角度検出手段と、
高度を検出する高度検出手段と、
被写体の照度を検出する照度検出手段と、
複数のサーチ範囲を備えたオートフォーカス機能と、
前記レンズ光軸の角度が所定値以上の俯角であるか否か、高度が所定値以上であるか否か、及び、照度が所定値以上であるか否かを判定し、該判定結果により前記オートフォーカス機能のサーチ範囲を選択する制御手段と、
を備えていることを特徴とする撮像装置。
【発明の詳細な説明】
【技術分野】
【０００１】
本発明は、撮像装置に係り、特に、複数のサーチ範囲を備えたオートフォーカス機能を有し、オートフォーカス時間の短縮化が図られた撮像装置に関する。
【背景技術】
【０００２】
近年、急速に普及している撮像装置（デジタルカメラ等の電子カメラ）において、オートフォーカス機能を備えた機種が一般的になっている。このオートフォーカス機能は、ＣＣＤ（Charge Coupled Device）上に撮像される被写体のコントラストが最も高くなる位置を合焦位置とし、この合焦位置になるように撮影レンズを移動させる、いわゆる山登り制御方式が採用されることが多い。
【０００３】
この山登り制御方式において、所定の焦点距離から無限遠（以下、「ＩＮＦ側」という）までの被写体に合焦させる通常オートフォーカスモードと、所定の焦点距離から撮影限界の最短距離までの被写体に合焦させるマクロオートフォーカスモードとにモード切替するようになっているものが一般的である。
【０００４】
なぜなら、マクロ撮影では、被写体の焦点距離が短く、被写界深度が浅くなり、そのため合焦させるまでに移動させる撮影レンズの距離が大きくなり、オートフォーカスに要する時間が長いことより、上記のように通常オートフォーカスモードと、マクロオートフォーカスモードとにモード切替するのが好ましいからである。
【０００５】
そして、このモード切替のためのスイッチを設けているが、ユーザがいずれのモードを選択すべきか判断に迷う場面も多い。たとえば、ユーザが被写体との距離が短い際に、誤ってマクロモードの設定を忘れると、通常のオートフォーカスモードで合焦させることとなり、適切な合焦がなされず、所望の撮影ができない。
【０００６】
これに対処するべく、被写体の焦点距離に応じてモード切替が適切になされることを可能にしたデジタルカメラの提案もなされている（特許文献１参照）。
【０００７】
この提案は、デジタルカメラの現在の俯角を検出する角度検出手段と、俯角が所定の条件を満たすときに、マクロオートフォーカス機能を動作させてフォーカス制御させる制御手段を備えたもので、ユーザがいずれのモードを選択すべきか判断に迷う場面においても、フォーカシングを自動的に行うことができるとされている。
【特許文献１】特開２００２−２０７１６０号公報
【発明の開示】
【発明が解決しようとする課題】
【０００８】
しかしながら、上記特許文献１の俯角の検出方法は所定の効果があるものの、俯角の検出のみによっては、誤動作となる場合も多い。具体的には、俯角が所定の条件を満たすときに、マクロオートフォーカス機能を動作させるとしても、俯瞰撮影や特殊撮影の場合もあり、この場合にマクロオートフォーカス機能を動作させると、誤動作となる。
【０００９】
このような誤動作を防止すべく、俯角が所定の条件を満たすときであっても、最初に通常のオートフォーカスモードでサーチ（合焦動作）を行い、このサーチで合焦しない場合にのみ、マクロオートフォーカス機能に自動的に切り替わる案も提案されている。ところが、このような案では、最初の通常オートフォーカスモードでのサーチ時間が無駄になるうえ、通常オートフォーカスモードでの評価下限の値に誤って合焦する場合もある。
【００１０】
本発明はこのような事情に鑑みてなされたもので、上記の各問題点が解消され、誤動作なく、オートフォーカス時間の短縮化が図られた撮像装置を提供することを目的とする。
【課題を解決するための手段】
【００１１】
前記目的を達成するために、本発明は、レンズ光軸の水平面となす角度を検出する角度検出手段と、複数のサーチ範囲を備えたオートフォーカス機能と、表示手段と、前記レンズ光軸の角度が所定値以上の俯角である場合に、前記表示手段に前記オートフォーカス機能のサーチ範囲の選択を促す旨の表示をさせる制御手段と、を備えていることを特徴とする撮像装置を提供する。
【００１２】
本発明によれば、角度検出手段を備えており、レンズ光軸の角度が所定値以上の俯角の場合であっても、マクロオートフォーカス機能に自動的に切り替わらずに、表示手段にサーチ範囲の選択を促す旨の表示をさせる。これにより、俯瞰撮影や特殊撮影等の場合に、マクロオートフォーカス機能で動作させることによる誤動作が避けられる。そして、表示手段により入力を促された適切なサーチ範囲の選択することにより、誤動作なく、オートフォーカス時間の短縮化が図られる。
【００１３】
本発明において、高度を検出する高度検出手段を備えていることが好ましい。このように、角度検出手段に加え、高度を検出する高度検出手段を備えているので、レンズ光軸の角度が所定値以上の俯角であっても、更に高度の検出値よりオートフォーカス機能の適切なサーチ範囲を判断し、表示手段にサーチ範囲の選択を促す旨の表示をさせる。これにより、俯瞰撮影や特殊撮影等の場合に、マクロオートフォーカス機能で動作させることによる誤動作が避けられる。そして、表示手段により入力を促された適切なサーチ範囲の選択することにより、誤動作なく、オートフォーカス時間の短縮化が図られる。
【００１４】
また、本発明において、被写体の照度を検出する照度検出手段を備えていることが好ましい。このように、角度検出手段及び高度検出手段に加え、被写体の照度を検出する照度検出手段を備えているので、レンズ光軸の角度が所定値以上の俯角であっても、更に高度の検出値及び照度の検出値よりオートフォーカス機能の適切なサーチ範囲を判断し、表示手段にサーチ範囲の選択を促す旨の表示をさせる。これにより、俯瞰撮影や特殊撮影等の場合に、マクロオートフォーカス機能で動作させることによる誤動作が避けられる。そして、表示手段により入力を促された適切なサーチ範囲の選択することにより、誤動作なく、オートフォーカス時間の短縮化が図られる。
【００１５】
また、前記目的を達成するために、本発明は、レンズ光軸の水平面となす角度を検出する角度検出手段と、高度を検出する高度検出手段と、複数のサーチ範囲を備えたオートフォーカス機能と、前記レンズ光軸の角度が所定値以上の俯角であるか否か、及び、高度が所定値以上であるか否かを判定し、該判定結果により前記オートフォーカス機能のサーチ範囲を選択する制御手段と、を備えていることを特徴とする撮像装置を提供する。
【００１６】
本発明によれば、レンズ光軸の角度が所定値以上の俯角であるか否か、及び、高度が所定値以上であるか否かを判定し、この判定結果によりオートフォーカス機能のサーチ範囲を選択する。これにより、俯瞰撮影や特殊撮影等の場合に、マクロオートフォーカス機能で動作させることによる誤動作が避けられる。そして、自動的に適切なサーチ範囲が選択されることにより、誤動作なく、オートフォーカス時間の短縮化が図られる。
【００１７】
また、前記目的を達成するために、本発明は、レンズ光軸の水平面となす角度を検出する角度検出手段と、高度を検出する高度検出手段と、被写体の照度を検出する照度検出手段と、複数のサーチ範囲を備えたオートフォーカス機能と、前記レンズ光軸の角度が所定値以上の俯角であるか否か、高度が所定値以上であるか否か、及び、照度が所定値以上であるか否かを判定し、該判定結果により前記オートフォーカス機能のサーチ範囲を選択する制御手段と、を備えていることを特徴とする撮像装置を提供する。
【００１８】
本発明によれば、レンズ光軸の角度が所定値以上の俯角であるか否か、高度が所定値以上であるか否か、及び、照度が所定値以上であるか否かを判定し、この判定結果によりオートフォーカス機能のサーチ範囲を選択する。これにより、俯瞰撮影や特殊撮影等の場合に、マクロオートフォーカス機能で動作させることによる誤動作が避けられる。そして、自動的に適切なサーチ範囲が選択されることにより、誤動作なく、オートフォーカス時間の短縮化が図られる。
【発明の効果】
【００１９】
本発明によれば、誤動作なく、オートフォーカス時間の短縮化が図られる。
【発明を実施するための最良の形態】
【００２０】
以下、添付図面に従って本発明に係る撮像装置の好ましい実施の形態（第１の実施形態）について詳説する。
【００２１】
図１は、本発明が適用されるデジタルカメラ１０（撮像装置）のうち、レンズ鏡筒の部分を示す要部断面図である。このレンズ鏡筒には、オートフォーカス機能が得られるように、複数のレンズが光軸に沿って配されている。このレンズ列の構成としては、公知の各種構成が採用できる。
【００２２】
図１において、上記のレンズ列のうち、フォーカスレンズ１５は、ステッピングモータ１８によって光軸に沿って前後方向（図では左右方向）に駆動されるようになっている。これにより、各フォーカス機能が得られる。
【００２３】
また、このレンズ鏡筒には、角度検出手段である傾斜センサ１４、及び高度検出手段である高度検出センサ１６が固定されている。傾斜センサ１４の構成としては、公知の各種構成の組み合わせが採用できるが、たとえば錘（デッドウェイト）と歪みゲージの組み合わせが採用できる。
【００２４】
高度検出センサ１６としても、公知の各種センサが使用できるが、たとえばデジタル腕時計に採用されている高度計兼気圧計としての圧力センサが使用できる。
【００２５】
図２は、デジタルカメラ１０の内部構成を示したブロック図である。デジタルカメラ１０は主としてズーム倍率指示手段及びズーム中心位置指示手段を構成する操作基板７０、中央処理装置（ＣＰＵ）５０、ＣＣＤ５２、アナログ信号処理部５４、枠表示手段及び画像取込手段を構成するデジタル信号処理部５８、表示手段を構成する表示メモリ６６、カードリーダ／ライタ装置６３、メモリカード６４などから構成される。
【００２６】
操作基板７０は、各種操作部材の夫々と回路接続されており、撮影者によるこれら操作部材の操作（たとえば、モードスイッチ２２の操作など）に基づいて、ＣＰＵ５０に指示信号を出力する。
【００２７】
ＣＰＵ５０は、操作基板７０からの指示信号の入力に基づいて、デジタル信号処理部５８に制御信号を出力するとともに、各回路を総括的に制御する。
【００２８】
また、ＣＰＵ５０は、現在の撮影条件（シャッター速度、Ｆ値等）により手ブレとなるか否かを判断し、手ブレとなる条件範囲にある場合には、液晶ディスプレイ１２の隅部に手ブレ警告させる。なお、手ブレとなるか否かの判断は、公知の（市販されている各種の）デジタルカメラと同様のフローを採用すればよい。
【００２９】
ＣＣＤ（撮像素子）５２は、撮影レンズ１５から取り込まれて結像された被写体光を、入射光量に応じた量の信号電荷に変換する。この信号電荷は電圧信号（画像信号）として順次ＣＣＤ５２から読み出されて、アナログ信号処理部５４に加えられる。なお、撮像素子としてはこのＣＣＤに限らず、ＣＭＯＳイメージセンサーなどを用いてもよい。
【００３０】
アナログ信号処理部５４は、ＣＣＤ５２から加えられた画像信号にサンプリングやホワイトバランス調整などの所要のアナログ処理を施す。また、アナログ処理された画像信号をＡ／Ｄ変換器５６によって画像データ（デジタルデータ）に変換させ、デジタル信号処理部５８に出力させる。なお、ＣＣＤ５２、アナログ信号処理部５４及びＡ／Ｄ変換器５６は、タイミングジェネレータ（ＴＧ）５７からのタイミング信号により同期して動作される。
【００３１】
デジタル信号処理部５８は、アナログ信号処理部５４（Ａ／Ｄ変換器５６）から入力された画像データ（ＣＣＤ５２の全画素領域の画像データ）に、必要に応じてガンマ補正などのデジタル処理を施し、この画像データを表示メモリ６６（メモリ６０）に出力する。また、ＣＰＵ５０からズーム中心位置ズーム倍率を制御する制御信号がデジタル信号処理部５８に入力されることにより、前述したガンマ補正などのデジタル処理に加えて、画像データからズーム中心位置を中心としたズーム倍率の画像データを切り出して１画面分の画像を生成し、この画像をデジタルズーム領域の画像として取り込むデジタルズーム処理が行われる。
【００３２】
また、枠表示手段を構成するデジタル信号処理部５８では、デジタルズーム処理された画像データに対して拡大枠の画像データの付加を行う。この拡大枠は、ＣＣＤ５２によって撮像された全画素領域（または記録媒体に記録された画像の全領域）に対するデジタルズーム領域（撮影者によってモードスイッチ２２を操作して指示される）に基づいて、デジタルズーム領域の大きさ位置を全画素領域（または全領域）に対して相対的に示したものである。拡大枠が付加された画像データは表示メモリ６６に出力される。
【００３３】
メモリカード６４は画像データを記録保存する。モードを撮影モードとし、シャッタボタン２０の押圧操作による記録指示入力があると、ＣＰＵ５０からデジタル信号処理部５８に制御信号が出力され、ＣＣＤ５２から１コマ分の画像データが読み込まれ、デジタル信号処理部５８にて上述したデジタル処理またはデジタルズーム処理が施された後、この画像データがメモリ６０に書き込まれる。なお、メモリ６０に書き込まれる画像データには、拡大枠の付加は行われない。メモリ６０に書き込まれた画像データは圧縮伸張回路６２によって圧縮処理されて、カードリーダ／ライタ装置６３によってメモリカード６４に記録されて保存される。
【００３４】
また、デジタルカメラ１０の内部には、記録媒体としてメモリカード６４を装着するメモリスロット（図示略）が設けられている。このメモリカード６４にデジタルカメラ１０に内蔵されたカードリーダ／ライタ装置６３によって、撮影された画像が画像データとして記録されて保存されるほか、記録済みの画像をメモリカード６４から読み取ることも可能である。なお、本実施の形態においては、メモリカード６４としてはたとえばスマートメディアが使用されるが、記録媒体としてＰＣカード、フラッシュメモリーカード、ＩＣカード、フロッピーディスク、光磁気ディスク（ＭＯ）などを用いてもよい。
【００３５】
液晶ディスプレイ１２は、表示メモリ６６に書き込まれた画像（スルー動画）を表示する。モードを撮影モードとし、モードスイッチ２２によってスルー動画の表示をオンにすると、デジタル信号処理部５８にはＣＣＤ５２から画像データが連続して読み込まれ、デジタル信号処理部５８によるデジタル処理など（デジタルズーム処理や拡大枠の付加）が連続して画像データに施された後、その画像データが表示メモリ６６に書き込まれる。表示メモリ６６の画像データは順次新しく読み込まれた画像データによって書き換えられ、これにより液晶ディスプレイ１２にてスルー動画が表示される。
【００３６】
また、液晶ディスプレイ１２には、メモリカード６４に記録保存されている画像も表示できる。モードを再生モードとし、所定の操作によってメモリカード６４に記録されたいずれかの画像データの再生を指定すると、その画像データがメモリカード６４からカードリーダ／ライタ装置６３によって読み出され、圧縮伸張回路６２によって伸張処理された後、デジタル信号処理部５８にてデジタル処理などが行われ、表示メモリ６６を介して液晶ディスプレイ１２に表示される。
【００３７】
その他、液晶ディスプレイ１２には、カメラの状態や撮影モードなどに関する情報（いわば撮影ステータス）を表示することができる。たとえば、内蔵されているバッテリの残量チェック表示、撮影可能コマ数の表示などが行われる。
【００３８】
なお、液晶ディスプレイ１２は画角が撮影者に把握できればよいので、一般的にパソコンなどで用いられる液晶モニタと比較して、画素数の少ないもの（解像度の低いもの）を用いてもよい。これに伴い、デジタル信号処理部５８から表示メモリ６６に書き込まれる画像データも、画像データのデータ数を間引いた解像度の低いものを用いることができる。
【００３９】
このような構成のデジタルカメラ１０によって、デジタル信号処理部５８においてデジタル処理などが行なわれた画像データは液晶ディスプレイ１２にて表示され、撮影者は、液晶ディスプレイ１２にてＣＣＤの全画素領域の画像を確認できる（等倍撮影）。また、撮影者によってモードスイッチ２２が押圧操作されると、デジタル信号処理部５８においてデジタルズーム処理が行なわれ、拡大枠が付加された画像データが液晶ディスプレイ１２にて表示され、撮影者は、液晶ディスプレイ１２にてズーム倍率ズーム中心位置を確認できる（デジタルズーム機能）。
【００４０】
更に、メモリカード６４に記録保存されている画像データに対し、デジタル信号処理部５８においてデジタル処理が行なわれ、撮影者は液晶ディスプレイ１２にてメモリカード６４に記録保存されている画像データを確認できる（等倍再生）。また、このときに撮影者によってモードスイッチ２２が押圧操作されるとデジタルズーム処理が行なわれ、拡大枠が付加された画像データが液晶ディスプレイ１２にて表示される（再生ズーム機能）。
【００４１】
なお、図２のブロック図（デジタルカメラ１０の内部構成）において、図示を省略してあるが、デジタルカメラ１０は独自の電源を備えている。
【００４２】
シャッタボタン２０は２段階式に構成され、シャッタボタン２０を軽く押して止める「半押し」の状態で自動ピント合わせ（ＡＦ：オートフォーカス）及び自動露出制御（ＡＥ）が作動してＡＦとＡＥをロックし、「半押し」から更に押し込む「全押し」することにより撮影が行われるようになっている。
【００４３】
既述したように、フォーカスレンズ１５は、ステッピングモータ１８によって駆動されるようになっている。ステッピングモータ１８はドライバＩＣ１７を介してＣＰＵ５０に接続されており、ＣＰＵ５０からの指示出力により駆動される。
【００４４】
また、ＣＰＵ５０には既述の傾斜センサ１４と高度検出センサ１６が接続されており、検出角度及び検出高度がそれぞれ入力可能となっている。
【００４５】
次に、このような構成のデジタルカメラ１０の撮影手順について説明する。先ず、図３により高度検知リセット操作について説明する。この操作は、通常、ユーザがデジタルカメラ１０を購入した直後の初期設定時に行われる。
【００４６】
先ず、電源スイッチが入れられた（ステップＳ−１００）時点において、初期設定モード（ステップＳ−１０２）が選択された（Ｙ）際、高度検知リセット操作の選択が促される（ステップＳ−１０４）。高度検知リセット操作を選択（Ｙ）した場合、高度検出用の初期値をメモリ６０に書き込み、書き込み済みフラグをオンにする（ステップＳ−１０６）。この初期値は、選択された時点（現時点）での高度検出センサ１６により検出した値である。そして、高度検知リセット操作が終了した旨の表示を液晶ディスプレイ１２に表示する（ステップＳ−１０８）。
【００４７】
電源スイッチを切る（ステップＳ−１１０）動作が選択された（Ｙ）際にも、高度検出リセット書き込みフラグのオン（書き込み済み）、オフ（書き込み未了）が判定され（ステップＳ−１１２）、オン（書き込み済み）の場合には、電源スイッチが切られ（ステップＳ−１２０）、オフ（書き込み未了）の場合には、高度検出リセット未了の旨の表示を液晶ディスプレイ１２に表示し（ステップＳ−１１４）、高度検知リセット操作の選択が促される（ステップＳ−１１６）。
【００４８】
そして、選択（Ｎ）しない場合には、電源スイッチが切られ（ステップＳ−１２０）、選択（Ｙ）した場合には、既述のステップＳ−１０４に移る。
【００４９】
以上の高度検知リセット操作が終了した後は、高度の検出は、高度検出センサ１６により検出した値とメモリ値（初期値）との差分の算出により行われる。
【００５０】
次に、図４のフローにしたがってデジタルカメラ１０の撮影手順について説明する。
【００５１】
先ず、電源スイッチが入れられる（ステップＳ−１０）。そして、シャッタボタン２０を軽く押して止める「半押し」の状態で自動ピント合わせ（ＡＦ：オートフォーカス）及び自動露出制御（ＡＥ）が作動してＡＦとＡＥをロックする（ステップＳ−１２）。
【００５２】
次いで、傾斜センサ１４により俯角が検出される（ステップＳ−１４）。そして、検出された俯角が判定され（ステップＳ−１６）、水平（仰角も含む）と判定された場合には、通常オートフォーカスモード（ステップＳ−１８）に移行し、通常撮影（ステップＳ−２０）が実施される。
【００５３】
一方、ステップＳ−１６において、俯角と判定された場合には、高度の検出（ステップＳ−２２）がなされる。そして、検出された高度が判定され（ステップＳ−２４）、所定値以上の高度の場合には、俯瞰オートフォーカスモード（ステップＳ−２６）に移行し、通常撮影（ステップＳ−２０）が実施される。
【００５４】
一方、ステップＳ−２４において、通常レベルの高度の場合には、俯角オートフォーカスモード（ステップＳ−２８）に移行する。この俯角オートフォーカスモードが選択されることにより、ＩＮＦ側のサーチ範囲が短縮されるというメリットが得られる。
【００５５】
次いで、オートフォーカス機能により合焦のサーチ（ステップＳ−３０）がなされる。そして、合焦となっているか否かの判定（ステップＳ−３２）がなされ、合焦となっていると判定された場合には、通常撮影（ステップＳ−２０）が実施される。
【００５６】
一方、ステップＳ−３２において、合焦となっていないと判定された場合には、強制マクロオートフォーカスモード（ステップＳ−３４）に移行する。この強制マクロオートフォーカスモードが選択されることにより、Ｎｅａｒ側のサーチ範囲が拡大されるというメリットが得られる。
【００５７】
次いで、オートフォーカス機能により合焦の再サーチ（ステップＳ−３６）がなされる。そして、合焦となっているか否かの判定（ステップＳ−３８）がなされ、合焦となっていると判定された場合には、通常撮影（ステップＳ−４０）が実施される。
【００５８】
一方、ステップＳ−３８において、合焦となっていないと判定された場合には、液晶ディスプレイ１２にエラー表示を表示させる（ステップＳ−４２）。
【００５９】
以上のフローを採用したデジタルカメラ１０によれば、俯角撮影を行った場合に、高度位置によって、１）俯瞰撮影、２）通常撮影（俯角撮影）、３）マクロ撮影、４）不明、のいずれかを自動選択する。したがって、ユーザの取り扱い性が向上する。また、俯角撮影で、かつ通常撮影の場合、オートフォーカスの時間が短縮される。
【００６０】
次に、本発明に係る撮像装置の他の実施の形態（第２の実施形態）について説明する。この実施の形態の構成が既述の第１の実施形態の構成と相違する点は、高度検出手段である高度検出センサ１６が省略されていることであり、他の構成は同様である。したがって、図１及び図２によって説明した内容の重複説明は省略する。
【００６１】
本実施形態において、図５のフローにしたがってデジタルカメラ１０の撮影手順について説明する。先ず、電源スイッチが入れられる（ステップＳ−５０）。そして、シャッタボタン２０を軽く押して止める「半押し」の状態で自動ピント合わせ（ＡＦ：オートフォーカス）及び自動露出制御（ＡＥ）が作動してＡＦとＡＥをロックする（ステップＳ−５２）。
【００６２】
次いで、傾斜センサ１４により俯角が検出される（ステップＳ−５４）。そして、検出された俯角が判定され（ステップＳ−５６）、水平（仰角も含む）と判定された場合には、未選択フラグがＯＦＦとされ（リセットされ）（ステップＳ−５８）、撮影モードが水平モードにセット（ステップＳ−６０）され、オートフォーカス機能により合焦のサーチ（ステップＳ−６２）がなされる。
【００６３】
ステップＳ−６２において、合焦となっていないと判定された場合には、フラグの判定（ステップＳ−６４）が行われる。判定によって、フラグがＯＦＦと判定された場合には、液晶ディスプレイ１２にエラー表示を表示させる（ステップＳ−６６）。
【００６４】
一方、ステップＳ−６４における判定によって、フラグがＯＮと判定された場合には、液晶ディスプレイ１２にエラー表示を表示させ（ステップＳ−６８）、撮影モードを強制マクロオートフォーカスモードに移行させ、フラグをＯＦＦにし（ステップＳ−７０）、次いで、既述のステップＳ−６２に戻る。
【００６５】
ステップＳ−６２に戻って、合焦となっていると判定された場合には、全押し待機状態とする（ステップＳ−７２）。以下のステップ（ステップＳ−７４）は省略する。
【００６６】
ステップＳ−５６に戻って、このステップにおいて、俯角と判定された場合には、液晶ディスプレイ１２に撮影モードの選択を促す表示を表示させ、時間測定を開始する（ステップＳ−７６）。撮影モードの選択を促す表示としては、以下の例のような表示である。
【００６７】
「カメラが下向きです
モードを選択してください
・  俯瞰撮影（屋外）
・  通常撮影
・  通常撮影（近距離・俯角）
・  マクロ撮影                」
次に、撮影モードの選択を促す表示を表示させてからの測定時間が所定の時間より超過しているか否かの判定を行い（ステップＳ−７８）、超過している（Ｙ）場合には、ＯＦＦとなっている未選択フラグをＯＮにし（ステップＳ−８０）、選択された撮影モードに設定し（ステップＳ−８２）、既述のステップＳ−６２に移る。
【００６８】
ステップＳ−７８に戻って、このステップにおいて、測定時間が所定の時間より超過していない（Ｎ）場合には、シャッタボタン２０が「全押し」になっているか否かの判定を行い（ステップＳ−８４）、「全押し」になっていない（Ｎ）場合には、タイマの積算を行い（ステップＳ−８６）、ステップＳ−７８に戻る。
【００６９】
一方、ステップＳ−８４において、「全押し」になっている（Ｙ）場合には、未選択のフラグをＯＮとし（ステップＳ−８８）、撮影モードが水平モードにセットされる（ステップＳ−９０）。
【００７０】
次いで、オートフォーカス機能により合焦のサーチ（ステップＳ−９２）がなされる。ステップＳ−９２において、合焦となっていないと判定された場合には、既述のステップＳ−６８に移り、エラー表示が表示される。
【００７１】
一方、ステップＳ−９２において、合焦となっていると判定された場合には、通常撮影
（ステップＳ−９４）に移る。以下のステップ（ステップＳ−９６）は省略する。
【００７２】
以上のフローにおける各撮影モードとオートフォーカス範囲との対応関係を図６の表に纏める。以上のデジタルカメラ１０によれば、ユーザが選択した各撮影モードに対応するサーチ範囲がテーブル（図６の表）より得られる。これにより、マクロ撮影時のマクロ設定の操作ミスが低減できる。
【００７３】
また、俯角検出・通常撮影（近距離俯角）が選択された場合には、通常撮影よりもＩＮＦ側のサーチ範囲を削減でき、オートフォーカス時間を短縮できる。
【００７４】
以上、本発明に係る撮像装置の実施形態について説明したが、本発明は上記実施形態に限定されるものではなく、各種の態様が採り得る。
【００７５】
たとえば、本実施形態のデジタルカメラ１０においては、レンズ光軸の水平面となす角度を検出する角度検出手段と、高度を検出する高度検出手段と、複数のサーチ範囲を備えたオートフォーカス機能とを備え、レンズ光軸の角度が所定値以上の俯角であり、かつ、高度が所定値以上である場合に、オートフォーカス機能のサーチ範囲を自動的に選択する例（第１実施形態）、及び、レンズ光軸の水平面となす角度を検出する角度検出手段と、複数のサーチ範囲を備えたオートフォーカス機能とを備え、レンズ光軸の角度が所定値以上の俯角である場合に、表示手段にオートフォーカス機能のサーチ範囲の選択を促す旨の表示をさせる例（第２実施形態）について説明したが、他の態様も採り得る。
【００７６】
この１例として、レンズ光軸の水平面となす角度を検出する角度検出手段と、高度を検出する高度検出手段と、被写体の照度を検出する照度検出手段と、複数のサーチ範囲を備えたオートフォーカス機能とを備え、レンズ光軸の角度が所定値以上（たとえば下向き６０度）の俯角であり、高度差が所定値（たとえば１０ｍ）以上であり、かつ、照度が所定値（たとえば１０カンデラ）以上である場合に、オートフォーカス機能のサーチ範囲を自動的に選択する例が採用できる。
【００７７】
また、上記は全てデジタルカメラの例として記載したが、携帯電話やＰＤＡ等の撮影機能内蔵機器でも同様の効果を得ることができる。
【図面の簡単な説明】
【００７８】
【図１】本発明の実施形態に係るデジタルカメラのうちレンズ鏡筒の部分を示す要部断面図
【図２】本発明の実施形態に係るデジタルカメラの内部構成を示したブロック図
【図３】デジタルカメラの初期設定について説明するフロー図
【図４】デジタルカメラの撮影手順について説明するフロー図
【図５】デジタルカメラの他の撮影手順について説明するフロー図
【図６】ユーザが選択した各撮影モードに対応するサーチ範囲を示す表
【符号の説明】
【００７９】
１０…デジタルカメラ、１２…液晶ディスプレイ、１４…傾斜センサ、１５…フォーカスレンズ、１６…高度検出センサ、１８…ステッピングモータ、２０…シャッタボタン、２２…モードスイッチ
【図１】
2006317593.tif 000003
【図２】
2006317593.tif 000004
【図３】
2006317593.tif 000005
【図４】
2006317593.tif 000006
【図５】
2006317593.tif 000007
【図６】
2006317593.tif 000008